(57)【要約】【課題】通信ネットワークに接続された各ユーザーの情報機器により該ユーザーが簡易な手段でもって各方面の販売会社からＩＣタグを貼付した間接副資材又は工場用品を合理的な価格で選定しかつ発注できるＩＣタグ管理システムの技術を提供する。【解決手段】当該各メーカー５は完成品又は半製品等種々の形態で当該間接副資材又は工場用品に係る一切の製品を生産するものである。そして、ＩＣタグ１２を貼付した当該間接副資材、工場用品又はその部品に係る情報を大規模総合商社７つまり卸売会社から得て各ユーザー１０、特にエンドユーザーの発注に応じてＩＣタグ１２を貼付した当該間接副資材、工場用品やその部品等を販売する販売代理店や販売会社８は、ＩＣタグ１２を貼付した間接副資材、工場用品やその部品に関し印刷物、特にカタログにしたものをデータとして保存するカタログデータベースを有し、例えば、Ａ社８ＡからＤ社８Ｄの４社すなわち複数社がある。該販売会社８等は独自のシステムを構築し、インターネット回線９を介して各ユーザー１０及びサーバー１１に接続している。【選択図】図１
2005174050.tif 000002
【特許請求の範囲】
【請求項１】
複数社又は多数社のメーカーから提供された部品又は工場用品を含む間接副資材のカタログ情報を加工又は解析かつ蓄積したカタログデータベースを保存すると共に販売代理店又は販売会社に該データベース情報を出力する大規模総合商社（卸売会社）と、該販売代理店又は販売会社からの部品又は工場用品を含む間接副資材のデータベース情報をインターネット回線を介して発注情報として受信するユーザーとで構成されたシステムに於いて、前記メーカー、前記販売代理店（販売会社）又は前記大規模総合商社（卸売会社）に備えたリーダライタと、該リーダライタによってＩＣタグを付した前記間接副資材のＩＤを読み出しこれを受信しかつ管理する上記インターネット回線に接続されたサーバーとでなることを特徴とする間接副資材のＩＣタグ管理システム。
【請求項２】
複数社又は多数社のメーカーから提供された部品又は工場用品を含む間接副資材のカタログに伴う情報を受ける大規模総合商社（卸売会社）と、該大規模総合商社（卸売会社）からの部品又は工場用品を含む間接副資材の出力情報を加工又は解析かつ蓄積してデータベース化すると共にこれを保存する販売代理店又は販売会社と、該販売代理店又は販売会社からの部品を含む間接副資材のデータベース情報をインターネット回線を介して発注情報として受信するユーザーとで構成されたシステムに於いて、前記メーカー、前記販売代理店（販売会社）又は前記大規模総合商社（卸売会社）に備えたリーダライタと、該リーダライタによってＩＣタグを付した前記間接副資材のＩＤを読み出しこれを受信しかつ管理する上記インターネット回線に接続されたサーバーとでなることを特徴とする間接副資材のＩＣタグ管理システム。
【請求項３】
サーバーが、前記大規模総合商社（卸売会社）又は前記販売代理店若しくは販売会社であることを特徴とする請求項１又は２記載の間接副資材のＩＣタグ管理システム。
【発明の詳細な説明】
【技術分野】
【０００１】
本発明は、通信ネットワークに接続された各ユーザーの情報機器により簡易な手段でもって各方面の販売会社から間接副資材又は工場用品を合理的な価格で選定しかつ発注できると共に該販売会社へ当該ユーザーからの発注状況をリアルタイムに告知することができ、更に、ＩＣタグで上記間接副資材又は工場用品を管理する間接副資材のＩＣタグ管理システムに関するものである。
【背景技術】
【０００２】
従来、この種の商品の受発注システムとしては、特開平１１−３９３９６号公開特許公報に開示した技術がある。これについて図４に基づき説明すれば、商品の発注をするためのユーザーとしての発注クライアント１、商品の発注を受けるメーカーとしての受注クライアント２及び商品の発注状況を登録するデータベースサーバ３はインターネット回線４を介して相互に接続しており、当該データベースサーバ３では、当該商品の発注に関する発注データの登録及び登録されている発注データの提供を受けることがＷＷＷ（Ｗｏｒｌｄ  Ｗｉｄｅ  Ｗｅｂ）上で検索可能であり、ユーザーとしての該発注クライアント１及びメーカーとしての受注クライアント２との間では電子メールの送受信が可能となるように構成されている。
【０００３】
そして、発注端末からデータベース端末への発注データの登録を上記ＷＷＷ上で行なうようにし、該発注端末及び受注端末間では電子メールの送受信を可能とする。そして、該発注端末で商品等の発注をしようとするときは、ＷＷＷブラウザを利用して、データベース端末から与えられた発注データ登録用のＨＴＭＬファイルに登録事項を記述し、かつこのＨＴＭＬファイルをデータベース端末に送信すると共に該発注データ登録用のＨＴＭＬファイルを電子メールに添付して受注端末に送信する。これによりメーカーとしての受注クライアント２は受注状況が明確化する。
【特許文献１】特開平１１−３９３９６号公開特許公報
【発明の開示】
【発明が解決しようとする課題】
【０００４】
上述した従来に於ける商品の受発注システムはユーザー側の発注クライアント１が当該商品を購入する際、その商品の仕様や希望価格等を検討したうえでインターネット回線４を経由して、多数社存在するメーカーとしての受注クライアント２やその他当該商品を取扱う販売会社又はその代理店等に電子メール等で買入れを申し込むものであった。
然るに、これの検索作業に手間を要すると共に適切な受注クライアント２から適切な価格、品質、性能又は機能を備えた商品を選定することは困難を極める上に買入れた後に他の受注クライアント２の商品情報等により当該商品が不適切であることが判明し、再買入れしなければならないという問題点があった。
又一方、受注クライアント２側としても全体としても各社の取扱う製品やその基準が不揃いであり、該受注クライアント２の業界全体として統一されておらず多方面に渉る発注クライアント１のあらゆる要求を満足する商品を迅速に提供することは現実的不可能であるという問題点があった。
また、上述した従来の商品受発注システムは、その取扱い商品については、例えば、一般的な商品であるパソコン機器やそれに関連するサービスに係るものであって、特殊な作業工具又は雑工具等の間接副資材又は工場用品の提供に伴うシステムに適用できないという問題点があった。
更に、上記間接副資材又は工場用品をＩＣタグで管理するというシステムが存在しないという問題点があった。
【課題を解決するための手段】
【０００５】
本発明に係る間接副資材の受発注システムは、ユーザーからインターネット回線を利用して簡易なシステムでもって希望する価格、品質又は性能を有する特殊な作業工具等の間接副資材又は工場用品を広範囲の企業群の中から選定でき、該間接副資材又は工場用品を迅速に調達することができると共に該間接副資材又は工場用品にＩＣタグを付して、これを管理するシステムを提供することを目的としたものであって、次の構成、手段から成立する。
【０００６】
請求項１記載の発明によれば、複数社又は多数社のメーカーから提供された部品又は工場用品を含む間接副資材のカタログ情報を加工又は解析かつ蓄積したカタログデータベースを保存すると共に販売代理店又は販売会社に該データベース情報を出力する大規模総合商社（卸売会社）と、該販売代理店又は販売会社からの部品又は工場用品を含む間接副資材のデータベース情報をインターネット回線を介して発注情報として受信するユーザーとで構成されたシステムに於いて、前記メーカー、前記販売代理店（販売会社）又は前記大規模総合商社（卸売会社）に備えたリーダライタと、該リーダライタによってＩＣタグを付した前記間接副資材のＩＤを読み出しこれを受信しかつ管理する上記インターネット回線に接続されたサーバーとでなることを特徴とする。
【０００７】
請求項２記載の発明によれば、複数社又は多数社のメーカーから提供された部品又は工場用品を含む間接副資材のカタログに伴う情報を受ける大規模総合商社（卸売会社）と、該大規模総合商社（卸売会社）からの部品又は工場用品を含む間接副資材の出力情報を加工又は解析かつ蓄積してデータベース化すると共にこれを保存する販売代理店又は販売会社と、該販売代理店又は販売会社からの部品を含む間接副資材のデータベース情報をインターネット回線を介して発注情報として受信するユーザーとで構成されたシステムに於いて、前記メーカー、前記販売代理店（販売会社）又は前記大規模総合商社（卸売会社）に備えたリーダライタと、該リーダライタによってＩＣタグを付した前記間接副資材のＩＤを読み出しこれを受信しかつ管理する上記インターネット回線に接続されたサーバーとでなることを特徴とする。
【０００８】
請求項３記載の発明によれば、請求項１又は２記載の間接副資材のＩＣタグ管理システムであって、サーバーが、前記大規模総合商社（卸売会社）又は前記販売代理店若しくは販売会社であることを特徴とする。
【発明の効果】
【０００９】
本発明に係る間接副資材のＩＣタグ管理システムは、上述の構成を有するので次の効果がある。
【００１０】
請求項１記載の発明によれば、複数社又は多数社のメーカーから提供された部品又は工場用品を含む間接副資材のカタログ情報を加工又は解析かつ蓄積したカタログデータベースを保存すると共に販売代理店又は販売会社に該データベース情報を出力する大規模総合商社（卸売会社）と、該販売代理店又は販売会社からの部品又は工場用品を含む間接副資材のデータベース情報をインターネット回線を介して発注情報として受信するユーザーとで構成されたシステムに於いて、前記メーカー、前記販売代理店（販売会社）又は前記大規模総合商社（卸売会社）に備えたリーダライタと、該リーダライタによってＩＣタグを付した前記間接副資材のＩＤを読み出しこれを受信しかつ管理する上記インターネット回線に接続されたサーバーとでなることを特徴とする間接副資材のＩＣタグ管理システムを提供する。
このような構成としたので、間接副資材や工場用品又はその部品を発注元のユーザーはその希望の値段や所定の品質、機能等を有する市販されているあらゆる製品の中からインターネット回線を通じて速やかに合理的に調達でき、作業能率の向上を図るということ及び大規模総合商社（卸売会社）で構築した間接副資材等のカタログデータベースを有効に利用でき、また、ＩＣタグで上記大規模総合商社（卸売会社）や販売代理店等の所有する間接副資材等の在庫管理又は売上管理等各種の管理を合理的に行なうことができるという効果がある。
【００１１】
請求項２記載の発明によれば、複数社又は多数社のメーカーから提供された部品又は工場用品を含む間接副資材のカタログに伴う情報を受ける大規模総合商社（卸売会社）と、該大規模総合商社（卸売会社）からの部品又は工場用品を含む間接副資材の出力情報を加工又は解析かつ蓄積してデータベース化すると共にこれを保存する販売代理店又は販売会社と、該販売代理店又は販売会社からの部品を含む間接副資材のデータベース情報をインターネット回線を介して発注情報として受信するユーザーとで構成されたシステムに於いて、前記メーカー、前記販売代理店（販売会社）又は前記大規模総合商社（卸売会社）に備えたリーダライタと、該リーダライタによってＩＣタグを付した前記間接副資材のＩＤを読み出しこれを受信しかつ管理する上記インターネット回線に接続されたサーバーとでなることを特徴とする間接副資材のＩＣタグ管理システムを提供する。
このような構成としたので、間接副資材若しくは工場用品又はその部品を発注元のユーザーはその希望の値段や所定の品質、機能等を有する市販されているあらゆる製品の中からインターネット回線を通じて速やかに合理的に調達でき、作業能率の向上を図るということ及び販売代理店又は販売会社で構築した間接副資材又は工場用品等のカタログデータベースを有効に利用でき、また、ＩＣタグで上記大規模総合商社（卸売会社）や販売代理店等の所有する間接副資材等の在庫管理又は売上管理等各種の管理を合理的に行なうことができるという効果がある。
【００１２】
請求項３記載の発明によれば、サーバーが、前記大規模総合商社（卸売会社）又は前記販売代理店若しくは販売会社であることを特徴とする請求項１又は２記載の間接副資材のＩＣタグ管理システムを提供する。
このような構成としたので、サーバーが大規模総合商社（卸売会社）又は販売会社等を含んだ管理会社でなり、兼業可能としたシステムを構築でき、実施化が容易となり経済的効果を高めることができる。
【発明を実施するための最良の形態】
【００１３】
以下、本発明に係る間接副資材のＩＣタグ管理システムに於ける実施の形態について添付図面に基づき詳細に説明する。
【００１４】
図１は、本発明に係る間接副資材のＩＣタグ管理システムの全体構成を示す図である。本発明は、工場用品又は生産補助材としてのドライバ又はペンチ等の作業工具や雑工具等間接副資材の販売や受発注及びその管理形態に係るものであり、各ユーザーが各販売代理店又は各販売会社の販売システムに通信ネットワークを介してアクセスし、各該販売会社等が提供する例えば、ユーザインターフェスを使用して、所定の品質、性能を有するうえに合理的価格で上記間接副資材又は工場用品等を購入するものである。この発明の一つの実施の形態としては、当該各販売会社等と各ユーザーとの間で間接副資材又は工場用品等やその部品の販売案件が発生した際に、該各販売会社の受注システムと各ユーザーの発注システムの間でやり取りする通信フォーマットに関するものである。
尚、上記工場用品としては、作業用工具、作業用治具、電動工具、エアーツール、パレット、重油・灯油又はクリーンルーム用品等が含まれる。
【００１５】
５は、Ａ社５Ａ、Ｂ社５Ｂ、Ｃ社５Ｃ、Ｄ社５Ｄ、Ｅ社５Ｅ及びＦ社５Ｆから構成される各メーカーであって、間接副資材又は工場用品やその部品等を生産し、これを販売する会社等である。
当該各メーカー５は完成品又は半製品等種々の形態で当該間接副資材又は工場用品に係る一切の製品を生産するものであって、下請会社もこれに包含する。そして、上記各メーカー５Ａないし５Ｆはそれぞれ後述するリーダライタ、ユーザー端末装置、表示装置又は入力装置等を備えている。
【００１６】
６は、上記各メーカー５が生産する間接副資材又は工場用品等やその部品に関し印刷物、特にカタログにしたものをデータとして保存するカタログデータベースであり、上記各メーカー５が取扱う各社、各種の膨大な情報に基づき、これを加工し、分析かつ解析し情報として蓄積データとして保存している。従って、間接副資材又は工場用品等としての新製品を新規に生産すれば、新規情報として新たに蓄積加工される。
【００１７】
７は、間接副資材又は工場用品等やその部品に係る製品を各メーカー５から依頼を受けて取扱う大規模総合商社、つまり卸売会社であって、例えば「アズワン」「日伝」「山善」等である。該大規模総合商社７は上記カタログデータベース６から、例えば、各種市販されているパソコン等の情報機器やＰＤＡ（情報端末器）又は携帯電話等でリアルタイムに各メーカー５から生産された新製品を含む各種の間接副資材や工場用品又はその部品等の情報を入手する。そして、上記大規模総合商社（卸売会社）７は後述するリーダライタ、ユーザー端末装置又は入力装置等を備えている。
尚、上記カタログデータベース６は各メーカー５側でデータの作成、処理及び加工をする場合、該メーカー５側に備えているが、上記大規模総合商社７すなわち卸売会社側で各メーカー５からの製品情報を得て、これを加工、処理及び蓄積して各大規模総合商社７が共有する場合には該大規模総合商社７側に備えることが便利となる。当該カタログベース６の重要性や本システムの効率化又は保存管理の便宜性から第三者機関に設置してもよい。そして、この設置場所はデータの加工や解析又は蓄積作業等の合理性や便宜性及び安全性の見地から決定する。
【００１８】
８は、当該間接副資材や工場用品又はその部品に係る情報を大規模総合商社７つまり卸売会社から得て各ユーザー１０、特にエンドユーザーの発注に応じて当該間接副資材又は工場用品等やその部品等を販売する販売代理店や販売会社であって、例えば、Ａ社８ＡからＤ社８Ｄの４社すなわち複数社がある。該販売会社８等は独自のシステムを構築し、インターネット回線９を介して各ユーザー１０に接続している。該ユーザー１０は例えば、Ａ社１０Ａ、Ｂ社１０Ｂ、Ｃ社１０Ｃ、Ｄ社１０Ｄの４社を挙げたがこれに限定されず多数社が加わるものとする。そして、上記販売代理店（販売会社）８のＡ社８ＡないしＤ社８Ｄは、それぞれ後述するリーダライタ、ユーザー端末装置、表示装置又は入力装置等を備えている。
【００１９】
而して、上記ユーザー１０の各社Ａ社１０Ａ、Ｂ社１０Ｂ、Ｃ社１０Ｃ、Ｄ社１０Ｄのいずれかの各社は例えば、小型ペンチや把手部の径廻りが大きいプラスドライバー等の作業工具である間接副資材又は工場用品等を購入する場合、自前の簡易型情報機器又はＰＤＡ（情報端末器）により、インターネット回線９を介して販売代理店又は販売会社８のデータベースを共有化した情報機器に当該発注信号を送信する。これにより販売代理店又は該販売会社８はこの発注信号を下に、受信の旨を前記ユーザー１０の各社１０ＡないしＤ社１０Ｄの発注該当企業に伝達すると共に、該発注企業が要望する仕様や部品に適合した上記作業工具を納品する。このように多種多量な発注企業の要望にも迅速にリアルタイムに取引を実現する作用を奏する。尚、上記ユーザー１０も販売代理店８等と同様にリーダライタ、ユーザー端末装置等を備えてもよい。
【００２０】
１１は、サーバーであり、上記ユーザー１０や大規模総合商社（卸売会社）７又はメーカー５若しくは販売代理店（販売会社）８に備えたリーダライタでＩＣタグを付した間接副資材等のＩＤを読み出し、販売個数や売上高等を一元管理する。
【実施例】
【００２１】
次に、図２及び図３に基づき、本発明に係る間接副資材のＩＣタグ管理システムに於ける実施例について説明する。
【００２２】
図２は、本発明のシステムに使用する上記間接副資材又は工場用品にＩＣタグを貼付け又は添付した構成例及びＩＣタグの構造例を示している。
先づ、これについて説明し、ＩＣタグ等を明らかにする。図２（ａ）は、ＩＣタグ１２を間接副資材（工場用品を含む）１３の一部、例えば、側面等に貼付した例である。該間接副資材１３のいずれの部位に貼付してもよいが、該ＩＣタグ１２は、他の間接副資材等の接触やその他の原因又は取扱いの際の物理的外力により該間接副資材１３から剥離しないように貼付ける。
【００２３】
上記ＩＣタグ１２は、金属層を積層した紙やプラスチック基材にアンテナ用コイルパターン１２ａを金属層にエッチング形成したＩＣチップ１２ｂを接続することにより形成できる。上記ＩＣチップ１２ｂのメモリー容量が例えば、１（Ｋｂｉｔ）であれば、１２８文字の記録が可能であり、当該間接副資材（工場用品を含む）１３の配送や在庫管理等に差支えない。上記ＩＣタグ１２に記録する事項としては、品名、品番、製造年月日、単価（売価）、特徴点やＩＣタグ１３自体のＩＤコードや識別コードを記載する。
【００２４】
図２（ｂ）は、ＩＣタグ１２の一例を示す平面図である。該ＩＣタグ１２は、例えば、大きさが３０（ｍｍ）×３０（ｍｍ）以下に設計され、いわゆるデータキャリアともいわれ、プラスチック等の基材１２ｃにアンテナ用コイルパターン１２ａを形成し、該アンテナ用コイルパターン１２ａと、ＩＣチップ１２ｂに内蔵されている容量素子とにより共振回路を形成し、一定周波数の電波を受信し送信できる。本発明に係るシステムの場合、例えば、１３５ＫＨｚ（中波）ないし２．４５ＧＨｚ（マイクロ波）の周波数帯が使用される。そして、アンテナ用コイルパターン１２ａは導通部材１２ｄにより、コイル接続端子１２ｅを介してＩＣチップ１２ｂに接続している。また、上記ＩＣタグ１２に記録した間接副資材（工場用品を含む）１３の各種品名、ＩＤコード等の情報は後述するリーダライタが該ＩＣタグ１２に対して共振する呼出し信号を発信し、これを受信したＩＣタグ１２からの応答信号を記憶する。
【００２５】
次に、図３に基づき本発明に係る間接副資材のＩＣタグ管理システムの具体的実施例を明らかにする。
当該実施例は例えば、ユーザー１０の各社のうちＡ社１０Ａに備えた情報機器等の受注システムの一例を示し、また、販売代理店又は販売会社８の各社のうちＡ社８Ａに備えた情報機器等の発注システムの一例を示すものであって、インターネット回線９を介して、互いに交信し、間接副資材や工場用品又はその部品の商取引を成立させるシステム及びＩＣタグ管理システムの構成となっている。
【００２６】
上記ユーザー１０のＡ社１０Ａは、例えば、間接副資材又は工場用品は、その部品を受注企業である販売代理店又は販売会社に発注するための自前のシステムを備えている。
該発注システムは、例えば、情報機器又は携帯情報端末（ＰＤＡ）でなるユーザー端末装置１０１、該ユーザー端末装置１０１の表示装置１０２、及び入力装置１０３、及びリーダライタ１０４で構成されている。そしてこの発注システムはＡ社１０Ａ以外の各社Ｂ社１０ＢないしＤ社１０Ｄの共用としてもよく、全体を単一の発注システムで構築することもできる。このリーダライタ１０４はＩＣタグ１２のアンテナ用コイルパターン１２ａより読み取られた間接副資材等又はその部品に係るＩＤコードや識別コードをホスト装置に伝達するための機器である。そして、該リーダライタ１０４はＩＣタグ情報取得手段として、該ユーザー１０Ａが所有する現有情報機器からＩＣタグデータを取得し、該ＩＣタグデータを用いて例えば、間接副資材や工場用品の製品個体データベースを検索することにより後述する受注企業、すなわち、販売代理店又は販売会社８Ａから間接副資材や工場用品又はその部品に関する種々な情報を得ることとする。
【００２７】
上記販売代理店又は販売会社８のＡ社８Ａは例えば、間接副資材や工場用品又はその部品を発注元であるユーザー１０のＡ社１０Ａに納品するため及び発注状況をリアルタイムに検出するための自前の販売会社の受注システム８０１を備えている。
そして、該販売会社の受注システム８０１は当該間接副資材や工場用品又はその部品の受注を受けるためのシステムであって、その受信信号を下に、インターネット回線９を介して、前記ユーザーＡ社１０Ａの発注システムにその旨を送信する。
また、上記販売代理店（販売会社）８Ａは上述したユーザー１０のＡ社１０Ａと同様にユーザー端末装置１０１、表示装置１０２、入力装置１０３及びリーダライタ１０４を備え、該リーダライタ１０４はＩＣタグ情報取得手段として、該ユーザー１０Ａが所有する現有情報機器からＩＣタグデータを取得し、該ＩＣタグデータを用いて例えば、間接副資材や工場用品の製品個体データベースを検索することにより後述する受注企業、すなわち、販売代理店又は販売会社８Ａから間接副資材や工場用品又はその部品に関する種々な情報を得ることとする。
【００２８】
８０２は間接副資材又は工場用品の仕様データベース、８０３は間接副資材又は工場用品の部品の仕様データベース、８０４は間接副資材又は工場用品の部品互換データベースであり、上記販売会社の受注システム８０１に備えている。上記各データベース８０２、８０３及び８０４は新規な間接副資材や工場用品又はその部品が新たに加わる場合や販売を廃止する場合等に対処し、常に新規加工又は解析し更にこれを最新のデータとして蓄積している。
従って、発注元のユーザー１０の各社は必要とする特殊な作業工具又は工場用品や雑工具等の所定以下の価格又は軽量な作業工具等の間接副資材又は工場用品を受注企業としての販売代理店又は販売会社８の各社にインターネット回線９を利用して発注すれば、その発注通信信号が販売会社８の受注システム８０１等にリアルタイムに伝送され速やかに該販売代理店又は販売会社８Ａから納品を受けることとなる。また、上記販売会社の受注システム８０１は各データベース８０２ないし８０４を含む構成は複数社で共用してもよく、全体を単一の受注システム及びＩＣタグ管理システムとして構築することもできる。
【００２９】
尚、ユーザー１０と販売代理店又は販売会社８とは別のシステムを構築し、又は図１又は図３のＩＣタグ管理システムを改変して、納品を伴う代金支払いシステムを追加してもよい。当該代金の中には、間接副資材又は工場用品等の製品対価や販売手数料又は仲介手数料であって、該製品対価とはユーザー１０から販売代理店又は販売会社８から受け取った値段であり、仲介手数料とはメーカー５が生産した間接副資材等を販売したことに対して販売代理店又は販売会社８へ支払う手数料である。
【００３０】
また、図３に示すように大規模総合商社（卸売会社）７のＡ社７Ａ例えば、「アズワン」等である場合、前記ユーザー１０のＡ社１０Ａ及び販売代理店（販売会社）８のＡ社８Ａと同様にユーザー端末装置１０１、表示装置１０２、入力装置１０３及びリーダライタ１０４を備え、該リーダライタ１０４はＩＣタグ情報取得手段として、該ユーザー１０Ａが所有する現有情報機器からＩＣタグデータを取得し、該ＩＣタグデータを用いて例えば、間接副資材や工場用品の製品個体データベースを検索することにより後述する受注企業、すなわち、販売代理店又は販売会社８Ａから間接副資材や工場用品又はその部品に関する種々な情報を得ることとする。
【００３１】
１１はサーバーであり、インターネット回線９に接続されている。該サーバー１１は、例えば、ＩＣタグ管理会社で構成してもよく、また、上記ユーザー１０、上記メーカー５、上記大規模総合商社（卸売会社）７、販売代理店８等に備え又は兼業してもよい。
そして、該サーバー１１によって、登録されたＩＣタグ１２が貼付された間接副資材等１３が流通する際、該サーバー１１のデータベースには該間接副資材等１３のＩＤコードや識別コードが記憶される。そして、各ユー―ザー１０等に備えたユーザー端末装置１０１が操作され、該ユーザー端末装置１０１の認証を行なうためにブラウザ（パソコン）が起動されて上記インターネット回線９を介して上記サーバー１１へ接続が要求され、サーバー１１に於いて、これを認識すれば、上記ユーザー１０や上記大規模総合商社７又は上記販売代理店８等に備えたユーザー端末装置１０１のユーザーＩＤとパスワードを入力させるための信号が送信される。そして、上記ユーザー１０等は入力装置１０３により該ユーザーＩＤとパスワードを入力し、上記サーバー１１へ送信する。ここで、上記ユーザー１０や販売代理店８等に備えたリーダライタ１０４が市場に流通する間接副資材等１３のＩＤコードや識別コードを読み出し、インターネット回線９を介してサーバー１１が一元管理する。管理情報としては、上記間接副資材等１３の品名、品番、性能、単価、卸値、特質等の特徴点又は総合売上高等種々の管理情報である。
【図面の簡単な説明】
【００３２】
【図１】本発明に係る間接副資材のＩＣタグ管理システムの実施の形態を示す全体構成図である。
【図２】本発明に係る間接副資材のＩＣタグ管理システムの実施例に使用するＩＣタグを示すものであって、（ａ）は間接副資材等に貼付けた状態を示す側面図、（ｂ）はＩＣタグを示す平面図である。
【図３】本発明に係る間接副資材のＩＣタグ管理システムの実施例に基づくユーザー及び販売代理店又は販売会社に備えたシステム内の構成要素を示す構成図である。
【図４】従来の商品受発注システムの例を示す構成図である。
【符号の説明】
【００３３】
５      メーカー
５Ａ    メーカーＡ社
５Ｂ    メーカーＢ社
５Ｃ    メーカーＣ社
５Ｄ    メーカーＤ社
５Ｅ    メーカーＥ社
５Ｆ    メーカーＦ社
６      カタログデータベース
７      大規模総合商社（卸売会社）
７Ａ    大規模総合商社（卸売会社）Ａ社
８      販売代理店（販売会社）
８Ａ    販売代理店（販売会社）Ａ社
８Ｂ    販売代理店（販売会社）Ｂ社
８Ｃ    販売代理店（販売会社）Ｃ社
８Ｄ    販売代理店（販売会社）Ｄ社
８０１  販売会社の受注システム
８０２  間接副資材の仕様データベース
８０３  間接副資材の部品データベース
８０４  間接副資材の互換データベース
９      インターネット回線
１０    ユーザー
１０Ａ  ユーザーＡ社
１０Ｂ  ユーザーＢ社
１０Ｃ  ユーザーＣ社
１０Ｄ  ユーザーＤ社
１０１  ユーザー端末装置
１０２  表示装置
１０３  入力装置
１０４  リーダライタ
１１    サーバー
１２    ＩＣタグ
１２ａ  アンテナ用コイルパターン
１２ｂ  ＩＣチップ
１２ｃ  基材
１２ｄ  導通部材
１２ｅ  コイル接続端子
１３    間接副資材（工場用品）
【図１】
2005174050.tif 000003
【図２】
2005174050.tif 000004
【図３】
2005174050.tif 000005
【図４】
2005174050.tif 000006